(57)【要約】  【課題】  各部署間で情報を交換することにより、在庫を効率よく処理することが可能なシステム及びその管理方法を提供する。  【解決手段】  商品の在庫を管理する管理サーバ１０と、在庫状況を照会する端末装置２０とを備え、この管理サーバ１０は、在庫データベース１２と、この在庫データベース１２に対するデータの入出力を制御するデータベース制御部１４とを備える。そして、在庫データベース１２は、管理情報として、商品及び商品の販売担当者を特定する情報を格納すると共に、オープン在庫の商品に関して、この販売担当者以外の者がこの所定の商品を販売することが許可されていることを示す情報を格納する。さらに、管理サーバ１０は、通常の在庫商品の管理情報に関しては、特定のユーザによる端末装置２０からのアクセスを受け付け、オープン在庫の商品に関しては、特定のユーザ以外のユーザによる端末装置２０からのアクセスをも受け付ける。  【選択図】  図１
2005035760.tif 000002
【特許請求の範囲】
【請求項１】
商品の在庫を管理する管理サーバと、
前記管理サーバにアクセスして在庫状況を照会する端末装置とを備え、
前記管理サーバは、通常の在庫である商品の管理情報に関しては、特定のユーザによる前記端末装置からのアクセスを受け付け、オープン在庫に指定された商品に関しては、前記特定のユーザ以外のユーザによる前記端末装置からのアクセスをも受け付けることを特徴とする在庫管理システム。
【請求項２】
前記管理サーバは、前記オープン在庫に指定された商品が販売された場合に、当該商品の管理情報に含まれる所定の条件に基づいて、当該商品の販売者の得る利益を計算することを特徴とする請求項１に記載の在庫管理システム。
【請求項３】
前記管理サーバは、前記オープン在庫に指定された商品の管理情報として、当該商品の販売価格の下限値を保持することを特徴とする請求項１に記載の在庫管理システム。
【請求項４】
前記管理サーバは、前記オープン在庫に指定された商品の管理情報として、当該商品を販売した場合に販売者が得る利益を当該商品の販売価格に対する割合で示す利益率を保持することを特徴とする請求項１に記載の在庫管理システム。
【請求項５】
商品の在庫に関する管理情報を格納した在庫データベースと、
前記在庫データベースに対するデータの入出力を制御するデータベース制御部とを備え、
前記在庫データベースは、前記管理情報として、前記商品及び当該商品の販売担当者を特定する情報を格納すると共に、所定の商品に関して、当該販売担当者以外の者が当該所定の商品を販売することが許可されていることを示す情報を格納することを特徴とするサーバ。
【請求項６】
前記在庫データベースは、前記商品が保管されている倉庫を示す倉庫コードを格納し、
前記データベース制御部は、前記販売担当者以外の者が販売することが許可された商品に関する前記倉庫コードを、特別に定義されたコードに置き換えることを特徴とする請求項５に記載のサーバ。
【請求項７】
前記在庫データベースは、前記商品の販売先を特定する販売先コードを格納し、
前記データベース制御部は、前記販売担当者以外の者が販売することが許可された商品に関する前記販売先コードを、特定の販売先に制限しないことを示すコードに置き換えることを特徴とする請求項５に記載のサーバ。
【請求項８】
前記在庫データベースは、前記販売担当者以外の者が販売することが許可された商品に関して、当該商品の販売価格の下限値を格納し、
前記データベース制御部は、前記商品が販売された場合に、前記販売価格の下限値に基づいて、当該商品の販売による利益を計算することを特徴とする請求項５に記載のサーバ。
【請求項９】
前記在庫データベースは、前記販売担当者以外の者が販売することが許可された商品に関して、当該商品を販売した場合に販売者が得る利益を当該商品の販売価格に対する割合で示す利益率を格納し、
前記データベース制御部は、前記商品が販売された場合に、前記利益率に基づいて、当該商品の販売による利益を計算することを特徴とする請求項５に記載のサーバ。
【請求項１０】
コンピュータを用いて商品の在庫管理を行う在庫管理方法であって、
商品の在庫に関して、商品及び当該商品の販売担当者を特定する情報を含む管理情報を所定の記憶装置に格納するステップと、
所定の商品をオープン在庫に指定する操作を受け付けるステップと、
オープン在庫に指定された商品に関して、当該商品がオープン在庫であることを示す情報を、前記管理情報として前記記憶装置に格納することにより、前記販売担当者以外の者が当該商品を販売することを許可するステップと
を含むことを特徴とする在庫管理方法。
【請求項１１】
前記オープン在庫に指定された商品に関して、当該商品の販売価格の下限値を格納するステップと、
前記商品が販売された場合に、前記販売価格の下限値に基づいて、当該商品の販売による利益を計算するステップと
をさらに含むことを特徴とする請求項１０に記載の在庫管理方法。
【請求項１２】
前記オープン在庫に指定された商品に関して、当該商品を販売した場合に販売者が得る利益を当該商品の販売価格に対する割合で示す利益率を格納するステップと、
前記商品が販売された場合に、前記利益率に基づいて、当該商品の販売による利益を計算するステップと
をさらに含むことを特徴とする請求項１０に記載の在庫管理方法。
【請求項１３】
コンピュータを制御して、商品の在庫管理を行うプログラムであって、
商品の在庫に関して、商品及び当該商品の販売担当者を特定する情報を含む管理情報を所定の記憶装置に格納する処理と、
所定の商品をオープン在庫に指定する操作を受け付ける処理と、
オープン在庫に指定された商品に関して、当該商品がオープン在庫であることを示す情報を、前記管理情報として前記記憶装置に格納することにより、前記販売担当者以外の者が当該商品を販売することを許可する処理と
を前記コンピュータに実行させることを特徴とするプログラム。
【請求項１４】
前記オープン在庫に指定された商品に関して、当該商品の販売価格の下限値を格納する処理と、
前記商品が販売された場合に、前記販売価格の下限値に基づいて、当該商品の販売による利益を計算する処理と
を前記コンピュータにさらに実行させることを特徴とする請求項１３に記載のプログラム。
【請求項１５】
前記オープン在庫に指定された商品に関して、当該商品を販売した場合に販売者が得る利益を当該商品の販売価格に対する割合で示す利益率を格納する処理と、
前記商品が販売された場合に、前記利益率に基づいて、当該商品の販売による利益を計算する処理と
を前記コンピュータにさらに実行させることを特徴とする請求項１３に記載のプログラム。
【請求項１６】
請求項１３から請求項１５のいずれかに記載のプログラムを、コンピュータが読み取り可能に記録した記録媒体。
【請求項１７】
商品の在庫に関する管理情報を、コンピュータが読み取り可能に格納した記録媒体であって、
商品及び当該商品の販売担当者を特定する情報を含む管理情報と、
前記商品中のオープン在庫に指定された商品に関して、当該販売担当者以外の者が当該所定の商品を販売することが許可されていることを示す情報と
を格納したことを特徴とする記録媒体。
【請求項１８】
前記オープン在庫に指定された商品に関して、当該商品の販売価格の下限値をさらに格納したことを特徴とする請求項１７に記載の記録媒体。
【請求項１９】
前記オープン在庫に指定された商品に関して、当該商品を販売した場合に販売者が得る利益を当該商品の販売価格に対する割合で示す利益率をさらに格納したことを特徴とする請求項１７に記載の記録媒体。
【発明の詳細な説明】
【技術分野】
【０００１】
本発明は、コンピュータを用いて商品等の在庫管理を行うシステム及びその管理方法に関する。
【背景技術】
【０００２】
商品の流通過程では、商品がメーカーから消費者に到達するまでに卸業者や販売業者が介在し、これらの業者がそれぞれ在庫を所持している。商品在庫が長期化すると、それだけ利益を上げるのが遅れるのみならず、倉庫保管料などの経費が加算されることによって在庫単価が高くなり、在庫商品が売却されたとしても利益が減少し、場合によっては損失を出すことも起こり得る。したがって、効率の良い商品流通を実現するためには、必要以上の在庫をため込まないようにすることが好ましく、そのために適切な在庫管理を行うことが重要である。今日では、コンピュータを用いた在庫管理システムが普及し、在庫管理の作業効率の向上等に寄与している（例えば、特許文献１参照）。
【０００３】
通常、卸業者や販売業者は、部署ごとや営業担当者ごとに在庫管理を行っている。そのため、長期在庫となった商品についても当該部署や営業担当者自身が処理（販売、処分もしくは引き続き在庫として管理）するのが一般的であった。
【０００４】
【特許文献１】特開平５−１２０３１３号公報
【発明の開示】
【発明が解決しようとする課題】
【０００５】
上記のように、商品の在庫管理は部署ごとや営業担当者ごとに行われるため、従来は、長期在庫になった場合でも、当該部署や営業担当者が当該商品の処理を行っていた。
在庫の長期化によって経費が加算され在庫単価が高くなった商品は、他の商品と比べて販売することが難しくなり、また個々の部署や営業担当者の利益目標という観点から販売することが控えられ、処分することが望まれる場合もある。一方、企業的には在庫処分をしてしまわずに販売する方が、売り上げにつながるため好ましい。
【０００６】
これに関して、長期在庫化した商品を、当該商品に関して需要のある他の部署で販売してもらうことが考えられる。このようにすれば、企業にとっては当該商品の販売により利益が上がり、当該商品を仕入れた元の部署や営業担当者にとっても在庫単価が高くなった商品を処分できる。
【０００７】
しかし、上述のように在庫管理を部署や営業担当者ごとに行っている場合、どの部署や営業担当者が長期在庫を所持しているかが、他の部署や営業担当者にはわかりにくい。また、長期在庫を所持している部署や営業担当者側でも、当該商品に関してどの部署や営業担当者が需要を有するのか容易に判断できない。
【０００８】
そこで本発明は、各部署間で情報を交換することにより、在庫を効率よく処理することが可能なシステム及びその管理方法を提供することを目的とする。
【課題を解決するための手段】
【０００９】
上記の目的を達成する本発明は、商品の在庫を管理する管理サーバと、この管理サーバにアクセスして在庫状況を照会する端末装置とを備えた在庫管理システムとして実現される。この在庫管理システムにおいて、管理サーバは、通常の在庫である商品の管理情報に関しては、特定のユーザによる端末装置からのアクセスを受け付け、オープン在庫に指定された商品に関しては、特定のユーザ以外のユーザによる端末装置からのアクセスをも受け付けることを特徴とする。
【００１０】
ここで、この管理サーバは、オープン在庫に指定された商品が販売された場合に、かかる商品の管理情報に含まれる所定の条件に基づいて、かかる商品の販売者の得る利益を計算する。この利益計算に用いる情報として、管理サーバは、この商品の販売価格の下限値、または商品を販売した場合に販売者が得る利益を商品の販売価格に対する割合で示す利益率を保持する。
【００１１】
より詳細には、この管理サーバは、商品の在庫に関する管理情報を格納した在庫データベースと、この在庫データベースに対するデータの入出力を制御するデータベース制御部とを備える構成とする。そして、この在庫データベースは、管理情報として、商品及び商品の販売担当者を特定する情報を格納すると共に、所定の商品に関して、この販売担当者以外の者がこの所定の商品を販売することが許可されていることを示す情報を格納することを特徴とする。
【００１２】
具体的な手法として、この管理サーバにおいて、在庫データベースは、商品が保管されている倉庫を示す倉庫コード及び商品の販売先を特定する販売先コードを格納し、データベース制御部は、販売担当者以外の者が販売することが許可された商品に関する倉庫コードを、特別に定義されたコードに置き換えると共に、かかる商品に関する販売先コードを、特定の販売先に制限しないことを示すコードに置き換える構成とすることができる。
【００１３】
さらに、この管理サーバにおいて、在庫データベースは、販売担当者以外の者が販売することが許可された商品に関して、この商品の販売価格の下限値、または商品を販売した場合に販売者が得る利益を商品の販売価格に対する割合で示す利益率を格納し、データベース制御部は、かかる商品が販売された場合に、販売価格の下限値または利益率に基づいて、商品の販売による利益を計算する。
【００１４】
また、上記の目的を達成する他の本発明は、コンピュータを用いて商品の在庫管理を行う、次のような在庫管理方法としても実現される。この在庫管理方法は、商品の在庫に関して、商品及び商品の販売担当者を特定する情報を含む管理情報を所定の記憶装置に格納するステップと、所定の商品をオープン在庫に指定する操作を受け付けるステップと、オープン在庫に指定された商品に関して、商品がオープン在庫であることを示す情報を、管理情報として記憶装置に格納することにより、販売担当者以外の者がこの商品を販売することを許可するステップとを含むことを特徴とする。
【００１５】
さらにまた、本発明は、コンピュータを制御して上述した管理サーバとして機能させるプログラムや、上記の在庫管理方法における各ステップに対応する処理をコンピュータに実行させるプログラムとしても実現される。このプログラムは、磁気ディスクや光ディスク、半導体メモリ、その他の記録媒体に格納して配布したり、ネットワークを介して配信したりすることにより、提供することができる。
さらに本発明は、商品の在庫に関して、商品及び商品の販売担当者を特定する情報を含む管理情報と、この商品在庫中のオープン在庫に指定された商品に関して、販売担当者以外の者がかかる所定の商品を販売することが許可されていることを示す情報とを、コンピュータが読み取り可能に格納した記録媒体としても実現される。
【発明の効果】
【００１６】
上記のように構成される本発明の効果として、各部署間で商品在庫の管理情報を交換することが容易となり、在庫を効率よく処理することが可能なシステム及びその管理方法を提供することができる。
【発明を実施するための最良の形態】
【００１７】
以下、添付図面を参照して、本発明を実施するための最良の形態（以下、実施形態）について詳細に説明する。
図１は、本実施形態による在庫管理システムの全体構成を示す図である。
図示のように、本実施形態は、商品等の在庫を管理する管理サーバ１０と、社内ＬＡＮ、その他のネットワークを介して管理サーバ１０にアクセスし情報を授受するための端末装置２０とを備える。
【００１８】
本実施形態の在庫管理システムを構成する管理サーバ１０は、例えば、ワークステーションやパーソナルコンピュータ、その他のコンピュータ装置にて実現される。また、端末装置２０は、パーソナルコンピュータ等のコンピュータ装置、ＰＤＡ（Personal Digital Assistant）や携帯電話等のネットワーク機能を備えた情報端末にて実現される。
【００１９】
図２は、本実施形態を構成する管理サーバ１０や端末装置２０を実現するのに好適なコンピュータ装置のハードウェア構成の例を模式的に示した図である。
図２に示すコンピュータ装置は、演算手段であるＣＰＵ（Central Processing Unit：中央処理装置）１０１と、Ｍ／Ｂ（マザーボード）チップセット１０２およびＣＰＵバスを介してＣＰＵ１０１に接続されたメインメモリ１０３と、同じくＭ／Ｂチップセット１０２およびＡＧＰ（Accelerated Graphics Port）を介してＣＰＵ１０１に接続されたビデオカード１０４と、ＰＣＩ（Peripheral Component Interconnect）バスを介してＭ／Ｂチップセット１０２に接続された磁気ディスク装置（ＨＤＤ）１０５、ネットワークインターフェイス１０６と、さらにこのＰＣＩバスからブリッジ回路１０７およびＩＳＡ（Industry Standard Architecture）バスなどの低速なバスを介してＭ／Ｂチップセット１０２に接続されたフロッピーディスクドライブ１０８およびキーボード／マウス１０９とを備える。
【００２０】
なお、図２は本実施形態を実現するコンピュータ装置のハードウェア構成を例示するに過ぎず、本実施形態を適用可能であれば、他の種々の構成を取ることができる。例えば、ビデオカード１０４を設ける代わりに、ビデオメモリのみを搭載し、ＣＰＵ１０１にてイメージデータを処理する構成としても良いし、外部記憶装置として、ＡＴＡ（AT Attachment）やＳＣＳＩ（Small Computer System Interface）などのインターフェイスを介してＣＤ−Ｒ（Compact Disc Recordable）やＤＶＤ−ＲＡＭ（Digital Versatile Disc Random Access Memory）のドライブを設けても良い。
【００２１】
図１を参照すると、本実施形態に用いられる管理サーバ１０は、機能構成として、仕入ＤＢ（データベース）１１、在庫ＤＢ１２及び売上ＤＢ１３の３種類のデータベースと、データベースの内容を読み出したり更新したりするためのデータベース制御部１４と、データベースの内容を出力し所定の入力を受け付ける入出力制御部１５とを備える。
管理サーバ１０の構成要素のうち、各データベースは、例えば図２に示した磁気ディスク装置１０５にて実現される。また、データベース制御部１４は、プログラム制御されたＣＰＵ１０１にて実現される。入出力制御部１５は、プログラム制御されたＣＰＵ１０１及びネットワークインターフェイス１０６にて実現される。ＣＰＵ１０１を制御するプログラムは、磁気ディスクや光ディスク、半導体メモリ、その他の記録媒体に格納して配布したり、ネットワークを介して配信したりすることにより提供することができる。
【００２２】
上記構成において、仕入ＤＢ１１は、部署や営業担当者による商品の仕入れに用いられるデータベースである。図３は、仕入ＤＢ１１に登録される情報の構成例を示す図である。図３に示す例では、仕入ＤＢ１１には、仕入対象の商品に関して、「伝票番号」、商品の仕入先を示す「仕入先コード」、商品の種類を示す「商品コード」、「販売単価」、「数量」、商品を保管する倉庫を示す「倉庫コード」、商品を扱う部課及び営業担当者を示す「部コード」、「課コード」及び「担当者コード」の各情報が登録される。「伝票番号」、「仕入先コード」及び「商品コード」は、仕入ＤＢ１１のキー項目（キー１〜３）であり、各データはこの項目によって特定される。
【００２３】
在庫ＤＢ１２は、商品在庫の管理に用いられるデータベースである。図４乃至図６は、在庫ＤＢ１２に登録される情報の構成例を示す図である。図４乃至図６に示す例では、在庫ＤＢ１２には、保管されている各商品に関して、保管倉庫を示す「倉庫コード」、商品を扱う部課を示す「部コード」及び「課コード」、商品の種類を示す「商品コード」、商品の予定される販売先（得意先）を示す「販売先コード」、「在庫単価」、「下限在庫単価」の各情報が登録される。ここで、下限在庫単価とは、商品を後述するオープン在庫とする場合に、当該商品に付与する単価の下限値である。「倉庫コード」、「部コード」、「課コード」、「商品コード」及び「販売先コード」は、在庫ＤＢ１２のキー項目（キー１〜５）であり、各データはこの項目によって特定される。
【００２４】
売上ＤＢ１３は、販売された商品に関する情報の管理に用いられるデータベースである。図７は、売上ＤＢ１３に登録される情報の構成例を示す図である。図７に示す例では、売上ＤＢ１３には、販売された商品に関して、「伝票番号」、商品の販売先を示す「販売先コード」、商品の種類を示す「商品コード」、「販売単価」、「数量」、商品の販売によって得られた利益を示す「利益」、商品を販売した部課及び営業担当者を示す「部コード」、「課コード」及び「担当者コード」の各情報が登録される。「伝票番号」、「販売先コード」及び「商品コード」は、売上ＤＢ１３のキー項目（キー１〜３）であり、各データはこの項目によって特定される。
【００２５】
データベース制御部１４は、ユーザからの要求に応じて、上記各データベースに対してデータの読み出し及び更新を行う。また、ユーザが各データベースにアクセスする際のアクセス制御を行う。さらに、売上ＤＢ１３への売上入力処理に応じて、利益計算処理を行う（これらの処理の詳細は後述）。
入出力制御部１５は、ネットワーク機能により端末装置２０にアクセスし、ユーザによるデータベースへの読み出し要求や更新要求を受け付けてデータベース制御部１４に送ると共に、データベース制御部１４にて読み出されたデータを応答として端末装置２０に返送する。
なお、ここでユーザとは、端末装置２０を操作して管理サーバ１０のデータベースにアクセスし、データの照会や入力を行う営業担当者や仕入担当者である。
【００２６】
さて、本実施形態では、在庫ＤＢ１２にて管理される商品の在庫の状態として、オープン在庫という状態を定義する。オープン在庫とは、在庫商品が当該商品を仕入れた部署や営業担当者を離れて、他の部署や営業担当者による販売が許可された状態を意味する。管理サーバ１０による在庫管理の観点から説明すると、通常の在庫の管理情報は、当該在庫商品に関する営業担当者やその部署でのみアクセスし閲覧することが可能であるが、オープン在庫化することにより、他の部署の営業担当者が当該商品の管理情報を閲覧することが可能となる。このような管理情報へのアクセス制御はデータベース制御部１４によって行われる。
このオープン在庫を実現するため、本実施形態では、オープン在庫を管理するためのオープン倉庫コードを設定し、在庫ＤＢ１２の登録項目に下限在庫単価を設けている。
【００２７】
ここで、図４乃至図７と、図８とを参照して、オープン在庫について詳細に説明する。
図８は、商品の仕入れから販売に至る在庫管理の様子を説明する図である。
状況の設定として、所定の商品が営業Ａ（営業担当者、部コード３０、課コード１０、担当者コード２２１１）の依頼によって仕入れられ、在庫として所持されたものとする。商品がメーカーから倉庫に搬入されると、仕入担当者により仕入入力処理が行われ、仕入ＤＢ１１と在庫ＤＢ１２とに当該商品に関するデータが入力される。図４は、この際の当該商品の状態を示している。図４を参照すると、この商品は、在庫単価（仕入値）８００円で、販売先コード１２３４の販売先用に仕入れられたことがわかる。また、この商品は倉庫コード０１の倉庫に保管されている。
【００２８】
この商品が長期在庫化すると、倉庫保管料などの経費が加算されて、在庫単価が高くなる。在庫単価が高くなった商品は、営業Ａの利益目標の観点から、営業Ａ自身による販売が難しくなる。そこで、当該商品をオープン在庫化し、当該商品に対して需要のある営業担当者に販売してもらうこととする。
【００２９】
商品をオープン在庫化するために、営業Ａは、まず、在庫ＤＢ１２のマスターメンテナンスを行い、当該商品の下限在庫単価を設定する。下限在庫単価は、当該商品の売り上げによる企業利益と、営業Ａ自身の利益とを勘案して決定される。図５は、このときの当該商品の状態を示している。図５を参照すると、図４の登録内容と比べて、在庫単価が８００円から９００円に上がっている。そして、下限在庫単価として８１０円という価格が付与されている。ここでは、仕入値よりも安くならない最低限の価格として８１０円に決定されたものとする。
【００３０】
次に、営業Ａは、在庫移動処理を行って、在庫商品の保管倉庫の倉庫コードを変更する。これに伴って、販売先コードも自由な販売先を示すコードに変更され、販売先の制限が解かれる。図６は、このときの当該商品の状態を示している。図６を参照すると、倉庫コードが０１からオープン倉庫を示すコード９９に変更され、販売先コードが１２３４から自由な販売先を示すコード９９９９に変更されている。
【００３１】
以上のようにして、当該商品がオープン在庫化される。オープン在庫化された商品は、他の部署や営業担当者が在庫情報を閲覧することが可能となり、当該他の部署や営業担当者による商品の販売が可能となる。なお、在庫移動処理は、データベース上で当該在庫商品の管理状態を変更する処理であり、オープン倉庫として設定された実在の倉庫に実際に在庫商品を移動する必要はない。
【００３２】
さて、オープン在庫化された商品が、営業Ａとは別の部署の営業担当者である営業Ｂ（部コード２０、課コード１０、担当者コード２０１０）により販売されたものとする。この場合、営業Ｂは、まず在庫照会によりオープン在庫化された当該商品の管理情報を閲覧し、下限在庫単価以上の価格で販売可能と判断して、販売を行うこととなる。そして、営業Ｂにより売上入力処理が行われ、在庫ＤＢ１２と売上ＤＢ１３とに当該商品の販売に関するデータが入力される。図７には、この際の当該商品の販売状況が示されている。図７を参照すると、当該商品は、販売先コードが８８８８の販売先に、販売単価８２０円で販売され、販売数量が１０であることがわかる。
【００３３】
また、売上入力処理が行われると、データベース制御部１４により、この商品の販売に基づく利益が計算され（利益計算処理）、売上ＤＢ１３の該当エントリに登録される。図７の例では、下限在庫単価８１０円に設定された商品が８２０円で販売されたので、商品ごとの販売利益は１０（＝８２０−８１０）円。販売数量が１０であるので、利益が１００（１０×１０）円と計算されている。
【００３４】
以上の操作において、営業Ａは、経費の加算により在庫単価９００円となっていた商品が８２０円で販売されたので、−８００（＝（８２０−９００）×１０個）円の実績を上げたことになる。また、上記のように営業Ｂは、８１０円の下限在庫単価の商品を８２０円で販売したので、１００（＝（８２０−８１０）×１０個）円の実績を上げたことになる。ここで、営業Ａの実績が８００円の損失となっているが、当該商品が長期在庫化したことによって販売できず、処分してしまう場合（この場合９０００（＝９００×１０個）円の損失）に比べれば、損失が低減されている。
【００３５】
上記の例では、オープン在庫の売り上げによる利益を、下限在庫単価と販売単価との差分から計算したが、在庫商品のオープン在庫化において下限在庫単価を設定するのではなく、当該商品を販売した営業担当者の利益率を設定する手法を採ることも可能である。
例えば、図６の例で、下限在庫単価に代えて利益率０．１と設定したとする。この場合、当該商品を販売した営業担当者は、販売価格の１割を自分の実績とする。したがって、営業Ｂが、当該オープン在庫を８００円で１０個販売すれば、８００（＝８００×０．１×１０個）円の実績を上げたことになる。また、営業Ａは、在庫単価９００円の商品が８００円で販売されたので、−１０００（＝（８００−９００）×１０個）円の実績を上げたことになる。
オープン在庫の売り上げによる利益を計算するために、下限在庫単価を用いるか、利益率を用いるか、また下限在庫単価や利益率の具体的な値は任意であり、在庫責任を持つ営業担当者（この例では営業Ａ）またはその部署において決定することができる。
【００３６】
次に、本実施形態の在庫管理システムを構成する端末装置２０の機能を説明する。
図１を参照すると、本実施形態に用いられる端末装置２０は、ネットワークを介して管理サーバ１０とアクセスするためのアクセス制御部２１と、管理サーバ１０から取得した情報を表示出力してユーザに提示するための表示部２２と、ユーザによるコマンドやデータの入力を受け付ける入力部２３とを備える。
端末装置２０の構成要素のうち、アクセス制御部２１は、例えば図２に示したネットワークインターフェイス１０６及びプログラム制御されたＣＰＵ１０１にて実現される。表示部２２は、プログラム制御されたＣＰＵ１０１とビデオカード１０４及び図示しないディスプレイ装置（液晶ディスプレイ等）で実現される。また、入力部２３は、キーボード／マウス１０９、その他のポインティングデバイス等の入力デバイスにて実現される。なお、ＣＰＵ１０１を制御するプログラムは、磁気ディスクや光ディスク、半導体メモリ、その他の記録媒体に格納して配布したり、ネットワークを介して配信したりすることにより提供することができる。
【００３７】
上記構成において、アクセス制御部２１は、ネットワーク機能により管理サーバ１０にアクセスし、仕入ＤＢ１１、在庫ＤＢ１２、売上ＤＢ１３に格納されている所定の商品に関する情報を取得したり、これらのデータベースに記録するデータを送信したりする。
表示部２２は、管理サーバ１０から取得した所定の商品に関する情報を一覧表等の形式でディスプレイ装置に表示する。ユーザは、ディスプレイ装置に表示された情報を参照して、商品の仕入れ、在庫、販売状況を認識したり、在庫ＤＢ１２から読み出された情報を参照して、オープン在庫の照会を行ったりすることができる。
入力部２３は、ユーザによる管理サーバ１０へ送るためのコマンドやデータの入力を受け付ける。ユーザは、表示部２２に表示された情報を参照しながら、各データベースに商品のデータを入力したり、在庫ＤＢ１２にて管理されている所定の商品をオープン在庫化する操作を行ったりすることができる。
【００３８】
次に、ユーザ（営業担当者）による、端末装置２０を用いて管理サーバ１０にアクセスし、在庫商品をオープン在庫化する操作、及びオープン在庫の販売に関する操作について説明する。
図９は在庫商品をオープン在庫化する際の動作を示すフローチャート、図１０はオープン在庫の販売に伴う動作を示すフローチャートである。
図９を参照すると、ユーザ（図８の営業Ａに対応）は、端末装置２０を操作して管理サーバ１０にアクセスし（ステップ９０１）、メニュー選択を行って（ステップ９０２）、在庫ＤＢ１２からユーザ自身またはユーザの所属する部署が扱う商品の管理情報を照会する（ステップ９０３）。
【００３９】
次にユーザは、端末装置２０の表示部２２に表示された商品の管理情報を参照し、画面上で、オープン在庫化する商品を選択する（ステップ９０４）。オープン在庫化する商品は、上述したように、長期在庫化し他の部署で販売してもらうことにした商品である。オープン在庫化する商品を決定したならば、ユーザは、入力部２３を操作して、下限在庫単価を入力すると共に、倉庫コード及び販売先コードの変更を入力する（ステップ９０５）。そして、入力内容を含む在庫ＤＢ１２の更新要求を送信し（ステップ９０６）、管理サーバ１０に在庫ＤＢ１２の更新を実行させる（ステップ９０７）。これにより、当該商品のオープン在庫化が、管理サーバ１０の在庫ＤＢ１２に反映される。
【００４０】
次に、オープン在庫の販売に関する操作について説明する。
図１０を参照すると、ユーザ（図８の営業Ｂに対応）は、端末装置２０を操作して管理サーバ１０にアクセスし（ステップ１００１）、メニュー選択を行って（ステップ１００２）、在庫ＤＢ１２からオープン在庫の管理情報を照会する（ステップ１００３）。これによりユーザは、所定のオープン在庫の販売を引き受けるかどうかを決めることができる。
【００４１】
所定のオープン在庫の販売が行われた場合、ユーザは、端末装置２０を操作して当該商品の売り上げに関する情報を入力し、管理サーバ１０にアクセスして当該売り上げに関する情報を送信し、売上ＤＢ１３に入力させる（ステップ１００４、１００５）。これに応じて、管理サーバ１０では利益計算が行われ、売上ＤＢ１３における該当エントリに登録される（ステップ１００６）。
【００４２】
以上、本発明を実施するための最良の形態について説明したが、本発明が上述した実施形態に限定されないことは言うまでもない。例えば、仕入ＤＢ１１、在庫ＤＢ１２、売上ＤＢ１３の登録内容は、上記の項目以外にも、実際の在庫管理の運用に応じて任意に設定することができる。部コードや課コード、担当者コード等は卸業者や販売業者の組織構造に基づいて任意に構成すればよい。また、管理サーバ１０の構成も、図１に示したものに限るものではなく、各データベースを個別のサーバにて管理するようにしても良い。さらに、売上ＤＢ１３における利益の計算方法も、上述した加減在庫単価または利益率を用いる手法に限らない。
【００４３】
なお、オープン在庫化された商品の販売を引き受けられる営業担当者が複数いる場合、どの営業担当者に商品を販売してもらうかを決定する方法は、種々考えられる。例えば、オークションのように最も高い販売価格を提示した営業担当者が販売することとしても良いし、最も早く商品の販売を申し出た営業担当者が販売することとしても良い。
【図面の簡単な説明】
【００４４】
【図１】本実施形態による在庫管理システムの全体構成を示す図である。
【図２】本実施形態を構成する管理サーバや端末装置を実現するのに好適なコンピュータ装置のハードウェア構成の例を模式的に示した図である。
【図３】仕入ＤＢに登録される情報の構成例を示す図である。
【図４】在庫ＤＢに登録される情報の構成例を示す図である。
【図５】在庫ＤＢに登録される情報の構成例を示す図であり、加減在庫単価が設定された状態を示す図である。
【図６】在庫ＤＢに登録される情報の構成例を示す図であり、倉庫コード及び販売先コードが変更された状態を示す図である。
【図７】売上ＤＢに登録される情報の構成例を示す図である。
【図８】商品の仕入れから販売に至る在庫管理の様子を説明する図である。
【図９】在庫商品をオープン在庫化する際の動作を示すフローチャートである。
【図１０】オープン在庫の販売に伴う動作を示すフローチャートである。
【符号の説明】
【００４５】
１０…管理サーバ、１１…仕入ＤＢ（データベース）、１２…在庫ＤＢ（データベース）、１３…売上ＤＢ（データベース）、１４…データベース制御部、１５…入出力制御部、２０…端末装置、２１…アクセス制御部、２２…表示部、２３…入力部、１０１…ＣＰＵ（中央処理装置）、１０３…メインメモリ、１０４…ビデオカード、１０５…磁気ディスク装置（ＨＤＤ）、１０６…ネットワークインターフェイス、１０９…キーボード／マウス
【図１】
2005035760.tif 000003
【図２】
2005035760.tif 000004
【図３】
2005035760.tif 000005
【図４】
2005035760.tif 000006
【図５】
2005035760.tif 000007
【図６】
2005035760.tif 000008
【図７】
2005035760.tif 000009
【図８】
2005035760.tif 000010
【図９】
2005035760.tif 000011
【図１０】
2005035760.tif 000012